(57)【特許請求の範囲】
【請求項１】
放電空間を挟んで対向配置された前面基板及び背面基板と、前記前面基板の内面に設けられた複数の行電極対と、前記行電極の表面を覆う誘電体層と、表示を担う原色の発光を行う蛍光体層と、前記背面基板の内面に設けられ前記行電極対に交叉して配列された複数の列電極とを有し、前記行電極対及び前記列電極の各交差部に画素を担う放電セルが形成されているプラズマディスプレイパネルであって、
前記行電極対はバス電極対と、前記バス電極対の一方における前記放電セル各々に対応した位置から他方に向けて伸長する透明電極と、からなり、
前記放電空間内にキセノンガスを１０％以上含有する混合希ガスからなる放電ガスが封入されており、
前記放電空間に接する位置に仕事関数が４．５［ｅｖ］以下の絶縁材料を含む紫外域発光層が形成されていることを特徴とするプラズマディスプレイパネル。
【請求項２】
前記前面基板及び前記背面基板間に配置されており、前記プラズマディスプレイパネルの列方向に伸張する縦壁部と行方向に伸張する横壁部とによって前記放電空間を前記放電セル毎に区切る隔壁を備えたことを特徴とする請求項１記載のプラズマディスプレイパネル。
【請求項３】
前記第１及び第２バス電極は、前記横壁部と対向する位置に配置されていることを特徴とする請求項１記載のプラズマディスプレイパネル。
【請求項４】
放電空間を挟んで対向配置された前面基板及び背面基板と、前記前面基板の内面に設けられた複数の行電極対と、前記行電極の表面を覆う誘電体層と、表示を担う原色の発光を行う蛍光体層と、前記背面基板の内面に設けられ前記行電極対に交叉して配列された複数の列電極とを有し、前記行電極対及び前記列電極の各交差部に画素を担う放電セルが形成されているプラズマディスプレイパネルであって、
前記前面基板及び前記背面基板間に配置されており、前記列電極の長手方向に伸長する縦壁部と前記行電極の長手方向に伸長する横壁部とによって前記放電空間を前記放電セル毎に区切る隔壁を備え、
前記放電空間内にキセノンガスを１０％以上含有する混合希ガスからなる放電ガスが封入されており、
仕事関数が４．５［ｅｖ］以下の絶縁材料を含む紫外域発光層が前記横壁上に形成されていることを特徴とするプラズマディスプレイパネル。
【発明の詳細な説明】
【０００１】
【発明が属する技術分野】
本発明は、プラズマディスプレイパネルに関する。
【０００２】
【背景技術】
薄型、かつ自発光の表示デバイスとして、ＡＣ（交流放電）型のプラズマディスプレイパネルが着目されている。
図１は、このプラズマディスプレイパネルを表示デバイスとして採用したディスプレイ装置の概略構成を示す図である。
【０００３】
図１において、プラズマディスプレイパネルとしてのＰＤＰ１０には、２次元表示画面における各"列"を担う列電極Ｄ1〜Ｄmと、各"行"を担う行電極Ｘ1〜Ｘn及び行電極Ｙ1〜Ｙnとが、互いに対向する２枚のガラス基板(図示せぬ)に夫々形成されている。行電極Ｘ及びＹ各々は、２次元表示画面を担う上記ガラス基板上に交互に配列されており、一対の行電極Ｘ及びＹによって１行分を担う構造となっている。そして、上記ガラス基板各々の間には、ネオン及びキセノン等を主体とする混合希ガスの封入された放電空間が存在する。その放電空間を含む上記行電極対と列電極との各交叉部に、１画素を担う放電セルが構築されている。
【０００４】
駆動装置１００は、かかるＰＤＰ１０の列電極Ｄ1〜Ｄm、行電極Ｘ1〜Ｘn及びＹ1〜Ｙnに対して各種の駆動パルスを印加することにより、ＰＤＰ１０の各放電セルに対して、入力映像信号に対応した各種の放電を生起させる。ＰＤＰ１０は、かかる放電に伴う発光現象により、映像信号に対応した画像表示を実現するのである。
【０００５】
このように、プラズマディスプレイパネルを用いて画像表示を行うには、各画素毎に放電を生起させなければならない。よって、現時点においては、ＣＲＴ、又は液晶ディスプレイ等に比べて消費電力が高くなる傾向にあるが、その一方で高輝度な画像表示も望まれている。
【０００６】
【発明が解決しようとする課題】
本発明は、かかる点に鑑みて為されたものであり、消費電力を抑えつつ高輝度表示が可能なプラズマディスプレイパネルを提供することを目的とする。
【０００７】
【課題を解決するための手段】
請求項１記載によるプラズマディスプレイパネルは、放電空間を挟んで対向配置された前面基板及び背面基板と、前記前面基板の内面に設けられた複数の行電極対と、前記行電極の表面を覆う誘電体層と、表示を担う原色の発光を行う蛍光体層と、前記背面基板の内面に設けられ前記行電極対に交叉して配列された複数の列電極とを有し、前記行電極対及び前記列電極の各交差部に画素を担う放電セルが形成されているプラズマディスプレイパネルであって、前記行電極対はバス電極対と、前記バス電極対の一方における前記放電セル各々に対応した位置から他方に向けて伸長する透明電極と、からなり、前記放電空間内にキセノンガスを１０％以上含有する混合希ガスからなる放電ガスが封入されており、前記放電空間に接する位置に仕事関数が４．５［ｅｖ］以下の絶縁材料を含む紫外域発光層が形成されている。
請求項４記載によるプラズマディスプレイパネルは、放電空間を挟んで対向配置された前面基板及び背面基板と、前記前面基板の内面に設けられた複数の行電極対と、前記行電極の表面を覆う誘電体層と、表示を担う原色の発光を行う蛍光体層と、前記背面基板の内面に設けられ前記行電極対に交叉して配列された複数の列電極とを有し、前記行電極対及び前記列電極の各交差部に画素を担う放電セルが形成されているプラズマディスプレイパネルであって、前記前面基板及び前記背面基板間に配置されており、前記列電極の長手方向に伸長する縦壁部と前記行電極の長手方向に伸長する横壁部とによって前記放電空間を前記放電セル毎に区切る隔壁を備え、前記放電空間内にキセノンガスを１０％以上含有する混合希ガスからなる放電ガスが封入されており、仕事関数が４．５［ｅｖ］以下の絶縁材料を含む紫外域発光層が前記横壁上に形成されている。
【０００８】
【発明の実施の形態】
以下、本発明の実施の形態を図を参照しつつ説明する。
図２は、本発明としてのプラズマディスプレイパネルを搭載したプラズマディスプレイ装置の概略構成を示す図である。
図２に示されるように、かかるプラズマディスプレイ装置は、Ａ／Ｄ変換器１、駆動制御回路２、メモリ４、アドレスドライバ６、第１サスティンドライバ７及び第２サスティンドライバ８からなる駆動部と、プラズマディスプレイパネルとしてのＰＤＰ２０とから構成されている。
【０００９】
ＰＤＰ２０内には、行電極Ｘ1〜Ｘn及び行電極Ｙ1〜Ｙnが交互にかつ平行に配列されている。この際、互いに隣接する一対の行電極Ｘ及びＹにて、ＰＤＰ２０の２次元表示画面における第１行〜第ｎ行各々を担う構造となっている。更に、これら行電極Ｘ及びＹに交叉するように、２次元表示画面における第１列〜第ｍ列各々を担う列電極Ｄ1〜Ｄmが配列されている。
【００１０】
図３は、ＰＤＰ２０の断面構造の一部を示す図である。
図３に示されるように、上記行電極Ｘ1〜Ｘn及び行電極Ｙ1〜Ｙnは、前面ガラス基板２０１の内面、すなわち背面ガラス基板２０２と対向する面に交互に形成されている。これら行電極Ｘ及びＹは、酸化マグネシウム等からなる保護層２０３が蒸着されている誘電体層２０４にて被覆されている。かかる誘電体層２０４と背面ガラス基板２０２との間には放電空間２０５が形成されている。
【００１１】
放電空間２０５内には、放電ガスとして、ネオン及びキセノン等を主体とする混合希ガスが封入されている。尚、かかる混合希ガス中におけるキセノンガスの混合割合は全体の１０％(体積)以上にしてある。
背面ガラス基板２０１の内面、すなわち前面ガラス基板２０２と対向する面には、上記行電極Ｘ1〜Ｘn及び行電極Ｙ1〜Ｙnと交叉する方向に伸長して列電極Ｄ1〜Ｄmが形成されている。列電極Ｄ1〜Ｄmの壁面を覆うようにして、青色発光、緑色発光、又は赤色発光を担う蛍光体層２０６が形成されている。そして、上記誘電体層２０４、放電空間２０５、及び蛍光体層２０６を含む上記列電極Ｄと行電極Ｘ及びＹとの各交叉部に、１画素に対応した放電セルが形成される構造となっている。
【００１２】
Ａ／Ｄ変換器１は、駆動制御回路２から供給されるクロック信号に応じて、入力されたアナログの入力映像信号をサンプリングしてこれを１画素毎に対応した画素データに変換し、これをメモリ４に供給する。メモリ４は、駆動制御回路２から供給された書込信号に従って上記画素データを順次書き込む。かかる書込動作によりＰＤＰ２０における１画面（ｎ行×ｍ列）分の書き込みが終了すると、メモリ４は、この１画面分の画素データを上記駆動制御回路２から供給された読出信号に従って読み出し、これをアドレスドライバ６に供給する。
【００１３】
駆動制御回路２は、図４に示されるが如きタイミングにて各種駆動パルスをＰＤＰ２０に印加させるべき各種タイミング信号をアドレスドライバ６、第サスティンドライバ７、及び第２サスティンドライバ８の各々に供給する。
図４において、先ず、第１サスティンドライバ７がＰＤＰ２０の行電極Ｘ1〜Ｘn各々に対して負電圧のリセットパルスＲＰXを印加する。これと同時に、第２サスティンドライバ８がＰＤＰ２０の行電極Ｙ1〜Ｙn各々に対して正電圧のリセットパルスＲＰYを印加する(一斉リセット行程Ｒc)。
【００１４】
上記一斉リセット行程Ｒcの実行によれば、ＰＤＰ２０内の全ての放電セルにリセット放電が生起され、その結果、各放電セル内には一様に所定量の壁電荷が形成される。これにより、全放電セルは一旦、"発光セル"に初期設定される。
次に、アドレスドライバ６が、上記メモリ４から供給された画素データの論理レベルに対応した電圧を有する画素データパルスを発生する。例えば、アドレスドライバ６は、上記画素データの論理レベルが"１"である場合には高電圧の画素データパルスを発生する一方、論理レベル"０"である場合には低電圧(例えば、０ボルト)の画素データパルスを発生する。アドレスドライバ６は、各画素に対応した上記画素データパルスをＰＤＰ２０の第１行〜第ｎ行各々に対応したｍ列分毎の画素データパルス群ＤＰ1〜ＤＰnとし、これらを図４に示されるように、順次、列電極Ｄ1-mに印加して行く。更に、これら画素データパルス群ＤＰ各々の印加タイミングに同期して、第２サスティンドライバ８は、パルス電圧ＶSPを有する走査パルスＳＰを発生して行電極Ｙ1〜Ｙnへと順次印加して行く(画素データ書込行程Ｗc)。
【００１５】
上記画素データ書込行程Ｗcの実行によれば、走査パルスＳＰが印加された"行"と、高電圧の画素データパルスが印加された"列"との交差部の放電セルにのみ放電（選択消去放電）が生じる。その結果、かかる選択消去放電の生起された放電セルのみが、その内部に形成されていた壁電荷を消失する。つまり、この際、上記一斉リセット行程Ｒｃにおいて"発光セル"の状態に初期化された放電セルは、"非発光セル"の状態に推移する。一方、低電圧の画素データパルスが印加された"列"に形成されている放電セルには放電が生起されず、現状が保持される。つまり、この際、"非発光セル"状態の放電セルは"非発光セル"のまま、"発光セル"状態の放電セルは"発光セル"の状態をそのまま維持するのである。
【００１６】
次に、第１サスティンドライバ７及び第２サスティンドライバ８各々が、行電極Ｘ1〜Ｘn及びＹ1〜Ｙnに対して、図４に示されるように、夫々所定のパルス電圧ＶIPを有する維持パルスＩＰX及びＩＰYを交互に印加する(発光維持行程Ｉｃ)。
かかる発光維持行程Ｉｃの実行により、その放電セル内に壁電荷の存在している放電セル、すなわち"発光セル"のみに、上記維持パルスＩＰX及びＩＰYが印加される度に維持放電が生起される。そして、この維持放電が生起されると、放電空間２０５内に封入されている混合希ガス中のキセノンガスから発生した真空紫外光が蛍光体層２０６を励起して発光する。
【００１７】
尚、前述したように、放電空間２０５内に封入してあるキセノンガスの混合割合は全体の１０％以上である。プラズマディスプレイパネルは、このキセノンガスから発生した真空紫外光が蛍光体を励起して発光するものである為、キセノンガスの混合割合を増加すると、それに伴って真空紫外光の量も増えて発光効率が上がる。ところが、このようにキセノンガスの割合を増加すると、列電極−行電極間での選択放電、並びに行電極Ｘ−行電極Ｙ間での維持放電各々を生起させる為に必要となる電圧値も高くなる。すなわち、発光効率の高い放電セルを放電させる為には、その放電を生起させるべく各放電セルに印加すべき電圧値も高くする必要が生じるのである。
【００１８】
この際、本実施例のように、プラズマディスプレイパネルの発光効率を高めるべくキセノンガスの混合割合を１０％以上とした場合には、上記維持パルスＩＰX及びＩＰY各々のパルス電圧ＶIPを２００ボルト以上にする。
上記発光維持行程Ｉｃの終了後、第２サスティンドライバ８は、負電圧の消去パルスＥＰを発生してこれを行電極Ｙ1〜Ｙnに印加する(消去行程Ｅ)。
【００１９】
かかる消去行程Ｅの実行によれば、ＰＤＰ２０内に存在する全ての放電セル内において消去放電が生起され、各放電セル内に残存している壁電荷が消滅する。すなわち、かかる消去放電により、ＰＤＰ２０における全ての放電セルが"非発光セル"になる。
アドレスドライバ６、第１サスティンドライバ７、第２サスティンドライバ８は、上記一斉リセット行程Ｒc、画素データ書込行程Ｗc、発光維持行程Ｉc、及び消去行程Ｅなる一連の動作を繰り返し実行する。その結果、上記発光維持行程Ｉc内において生起された維持放電に伴う発光の回数に応じた中間調の表示輝度が得られるのである。
【００２０】
この際、上記実施例においては、ＰＤＰ２０の放電空間２０５内に封入する放電ガス中におけるキセノンガスの混合割合を全体の１０％(体積)以上にすることにより、各放電セルの発光効率を高めて高輝度表示を可能にしている。尚、このように、キセノンガスの混合割合を全体の１０％(体積)以上にすると、それに伴い、維持パルスのパルス電圧値としても２００[Ｖ]以上が必要になる。しかしながら、実施例においては、ＰＤＰ２０に対する画素データの書込方法として、予め全放電セル内に壁電荷を形成させておき(一斉リセット行程Ｒc)、その壁電荷を画素データに応じて選択的に消去する(画素データ書込行程Ｗc)という、いわゆる選択消去アドレス法を採用している。よって、かかる画素データ書込行程Ｗc内において壁電荷を消去させるべく生起させる選択消去放電の直前には当然、放電セル内には壁電荷が残留しているので、上記選択消去放電を生起させるべくＰＤＰ２０に印加する上記走査パルスＳＰのパルス電圧ＶSPは、維持パルスＩＰのパルス電圧ＶIPよりも低電圧で済む。このように、維持パルスの電圧値が２００[Ｖ]以上となるような発光効率の高いプラズマディスプレイパネルを駆動する際に、走査パルスのパルス電圧値を低くすることが出来るので汎用の走査ドライバＩＣを用いることが可能となる。
【００２１】
ところが、放電空間２０５内に封入するキセノンガスの混合割合を１０％(体積)以上にすると放電セルの発光効率は高まるが、その分だけ放電開始電圧も高くなる。放電開始電圧が高くなると、上記走査パルスＳＰをＰＤＰ２０に印加してから実際に選択消去放電が生起されるまでに時間遅れが生じる。この際、選択消去放電を正しく生起させるには、図４に示す如き走査パルスＳＰ各々のパルス幅を長くする必要があるので、画素データ書込行程Ｗcに費やされる時間が長くなるという問題が発生した。
【００２２】
そこで、図２に示すプラズマディスプレイ装置に搭載するＰＤＰとして、図３に示す如き構造を有するＰＤＰ２０に代わり、図５〜図１０に示す如き構造を有する本発明によるＰＤＰ２０'を採用する。
図５は、かかるＰＤＰ２０'を模式的に表す平面図である。
又、図６は図５のＶ１−Ｖ１線における断面、図７は図５のＶ２−Ｖ２線における断面、図８は図５のＷ１−Ｗ１線における断面、図９は図５のＷ２−Ｗ２線における断面、図１０は図５のＷ３−Ｗ３線における断面を夫々示す図である。
【００２３】
図５〜図１０に示す如くＰＤＰ２０'は、表示面である前面ガラス基板２０２の背面に、複数の行電極対（Ｘ，Ｙ）が、前面ガラス基板２０２の行方向（図５の左右方向）に延びるように平行に配列されている。
行電極Ｘは、Ｔ字形状に形成されたＩＴＯ(インジウム・スズ酸化物)等の透明導電膜からなる透明電極Ｘａと、前面ガラス基板２０２の行方向に延びて透明電極Ｘａの狭小の基端部に接続された金属膜からなるバス電極Ｘｂによって構成されている。行電極Ｙも同様に、Ｔ字形状に形成されたＩＴＯ等の透明導電膜からなる透明電極Ｙａと、前面ガラス基板２０２の行方向に延びて透明電極Ｙａの狭小の基端部に接続された金属膜からなるバス電極Ｙｂによって構成されている。行電極Ｘ及びＹは、前面ガラス基板２０２の列方向（図５の上下方向）に交互に配列されている。バス電極Ｘｂ及びＹｂに沿って並列された透明電極Ｘａ及びＹａは、夫々、互いに対となる相手の行電極側に延びて形成されている。透明電極Ｘａ及びＹａの幅広部の頂辺が、夫々所定幅の放電ギャップｇを介して互いに対向して配置されている。バス電極Ｘｂ及びＹｂは、夫々、表示面側の黒色導電層Ｘｂ'及びＹｂ'と、背面側の主導電層Ｘｂ"及びＹｂ"との二層構造によって形成されている。前面ガラス基板２０２の背面には、黒色の光吸収層(遮光層)３０及び３１が夫々形成されている。光吸収層３０は、バス電極ＸｂとＹｂの間に、かつ、このバス電極Ｘｂ及びＹｂに沿って行方向に延びて形成されている。一方、光吸収層３１は、隔壁３５の縦壁３５ａに対向する部分に形成されている。更に、前面ガラス基板２０２の背面には、行電極対(Ｘ，Ｙ)を被覆するように誘電体層１１が形成されている。この誘電体層１１の背面には、バス電極Ｘｂ及びＹｂと平行して延びるように、嵩上げ誘電体層１１Ａが形成されている。嵩上げ誘電体層１１Ａは、互いに隣接する行電極対（Ｘ，Ｙ）の隣り合うバス電極Ｘｂ及びＹｂと対向する位置、並びに、隣り合うバス電極Ｘｂ及びＹｂ間の領域と対向する位置に、誘電体層１１の背面側に突出して形成されている。そして、この誘電体層１１と嵩上げ誘電体層１１Ａの背面側には、ＭｇＯからなる保護層(保護誘電体層)１２が形成されている。
【００２４】
一方、前面ガラス基板２０２と平行に配置された背面ガラス基板２０１の表示側の面上には、列電極Ｄが、行電極対(Ｘ，Ｙ)と直交する方向に延びるように、互いに所定の聞隔を開けて平行に配列されている。背面ガラス基板２０１の表示側の面上には、更に、列電極Ｄを被覆する白色の誘電体層１４が形成されいる。かかる誘電体層１４上には、隔壁３５が形成されている。隔壁３５は、各列電極Ｄ間において列方向に延びる縦壁３５ａと、嵩上げ誘電体層１１Ａに対向する位置において行方向に延びる横壁３５ｂとによって梯子状に形成されている。この梯子状の隔壁３５によつて、前面ガラス基板２０２と背面ガラス基板２０１との間の空間が透明電極Ｘａ及びＹａに対向する部分毎に区画され、各区画内に放電空間Ｓが形成されている。図４及び図７に示す如く、隔壁３５の縦壁３５ａの表示側の面は保護層１２に当接されておらず、その間には隙間ｒがある。更に、図３及び図６に示す如く、横壁３５ｂの表示側の面も保護層１２の嵩上げ誘重体層１１Ａを被覆している部分に直接当接されていない。放電空間Ｓに面する隔壁３５の縦壁３５ａ及び横壁３５ｂの側面と、誘電体層１４の表面とには、これらの五つの面を全て覆うように蛍光体層１６が形成されている。尚、蛍光体層１６は実際には、図８に示す如く、赤色の蛍光体層１６(Ｒ)、緑色の蛍光体層１６(Ｇ)、青色の蛍光体層１６(Ｂ)からなり、これらが各放電空間Ｓ毎に行方向に順に並ぶように形成されている。
【００２５】
各放電空間Ｓ内には、放電ガスとして、ネオン及びキセノン等を主体とする混合希ガスが封入されている。尚、かかる混合希ガス中におけるキセノンガスの混合割合は全体の１０％(体積)以上にしてある。この放電空間Ｓを区画する梯子状の各隔壁３５の横壁３５ｂは、表示ライン間の光吸収層３０と重なる位置に存在する隙間ＳＬによって、隣接する他の隔壁３５の横壁３５ｂと離間されている。すなわち、梯子状に形成された隔壁３５は、表示ライン(行)Ｌ方向に沿って延び、表示ラインＬに沿って延びる隙間ＳＬを介して互いに平行になるように列方向に配列されている。各横壁３５ｂの幅は、それぞれ縦壁３５ａの幅と略同一になるように設定されている。尚、上述した如く、梯子状の隔壁３５によつて区画された放電空間Ｓが、１つの放電セルＣを担っている。
【００２６】
更に、ＰＤＰ２０'には、図６、図７及び図１０に示す如く、保護層１２の背面側において各隔壁３５の横壁３５ｂの表示側の面と対向する部分に、紫外域発光層１７が形成されている。各放電空間Ｓと隙間ＳＬとの間は、この紫外域発光層１７が横壁３５ｂの表示側の面に当接されることによって遮蔽されている。尚、紫外域発光層１７は、隔壁３５の横壁３５ｂの表示側の面上に形成するようにしても良い。
【００２７】
上記紫外域発光層１７は、放電空間Ｓ内に封入されたキセノンガスが放電時に放射する波長１４７ｎｍの真空紫外線によって励起される。紫外域発光層１７は、この真空紫外線によって励起されることにより、０.１[m sec]以上、好ましくは、上記画素データ書込行程Ｗcに費やされる時間である１[m sec]以上の期間に亘り、紫外線を放射し続ける残光特性を有する。このような残光特性を有する紫外域発光蛍光体としては、例えば、ＢaＳi2Ｏ5：Ｐb2+(発光波長：３５０[nm]）、ＳrＢ4Ｏ7Ｆ：Ｅu2+(発光波長：３６０[nm])、(Ｂa、Ｍｇ、Ｚｎ)3Ｓi2Ｏ7：Ｐb2+(発光波長：２９５[nm])、ＢaXＭgY(Ａl2Ｏ7)Z (発光波長：２５８[nm]）等のＢＡＭ系材料、ＹＦ3：Ｇd、Ｐrなどが挙げられる。又、紫外域発光層１７には、仕事関数が低い(すなわち、２次電子放出係数が高い)材料、例えば仕事関数が４.５[eＶ]以下の材料を含有させても良い。このように仕事関数が低くかつ絶縁性を有する材料としては、ＭgＯ(仕事関数４.２[eＶ])、ＴiＯ2、アルカリ金属の酸化物(例えばＣｓ2Ｏ：仕事関数２.３[eＶ])、アルカリ土類金属の酸化物（例えば、ＣaＯ、ＳrＯ、ＢaＯ)、弗化物(例えば、ＣaＦ２、ＭgＦ２)、結晶欠陥や不純物等によって結晶内に不純物順位を導入して２次電子放出係数を高めた材料(例えば、ＭgＯxのようにＭgＯの組成比を１：１から変えて結晶欠陥を導入したもの)等が挙げられる。この場合、紫外域発光層１７に含まれる仕事関数が低い材料からも２次電子(プライミング粒子)が放出される為、より一層プライミング効果が向上する。
【００２８】
ここで、上記ＰＤＰ２０'の駆動は、図４において説明したのと同様に、サブフィールド法によって行われる。
すなわち、各サブフィールド内において、図４に示す如きー斉リセット行程Ｒc、画素データ書込行程Ｗc、発光維持行程Ｉcが順次実施される。つまり、先ず、ー斉リセット行程Ｒcでは、全ての放電セルＣ内でリセット放電を生起させ、全放電セル内に壁電荷を形成する。次に、画素データ書込行程Ｗcでは、各表示ラインに毎に順次、走査パルスＳＰを印加することにより、各放電セルＣを選択的に消去放電(選択消去放電)せしめる。これにより、放電セルＣの各々は、"発光セル"状態(誘電体層１１に壁電荷が形成された状態)、又は"非発光セル"状態(誘電体層１１に壁電荷が存在しない状態)のいずれか一方に設定される。そして、発光維持行程Ｉcにおいて、全ての行電極対(Ｘ，Ｙ)に対し、各サブフィールドの重み付けに対応した数だけ交互に維持パルスＩＰを印加する。この際、上記"発光セル"状態にある放電セルＣでは、維持パルスＩＰが印加される度に放電が生起される。すると、この放電に伴う紫外線によって放電空間Ｓ内の各蛍光体層１６がそれぞれ励起されて発光し、これが、前面ガラス基板２０２を透過して表示画像となるのである。
【００２９】
この際、上記ー斉リセット行程Ｒcでのリセット放電の際に、放電空間Ｓ内に封入されているキセノンガスから放射される波長１４７[nm]の真空紫外線によつて、上記紫外域発光層１７が励起され、ここから紫外線が放射される。この紫外域発光層１７から放射される紫外線は保護層１２から２次電子を放出させ、画素データ書込行程Ｗcを実施している期間に亘り、プライミング粒子を放電空間Ｓ内に形成し続ける。このプライミング粒子が放電空間Ｓ内に残留している為、画素データ書込行程Ｗc内では、走査パルスＳＰの印加に応じて、直ちに上記選択消去放電が生起されるようになる。
【００３０】
従って、放電空間２０５内に封入するキセノンガスの混合割合を１０％(体積)以上にしたが故に放電開始電圧が高くなっても、走査パルスＳＰのパルス幅を広げることなく、選択消去放電を正しく生起させることが可能になる。更に、紫外域発光層１７によれば、走査パルスＳＰのパルス幅を狭めた際にも、走査パルスＳＰのパルス電圧値に対する電圧マージンを比較的大きく取れるようになる。
【００３１】
図１１は、走査パルスＳＰのパルス電圧値の上限値及び下限値と、走査パルスＳＰのパルス幅との対応関係を示す図である。
尚、上限値とは、放電空間Ｓ内にプライミング粒子が一切存在しない場合においても、正しく選択消去放電を生起させることが可能な走査パルスＳＰのパルス電圧値の上限を示す値である。一方、走査パルスＳＰのパルス電圧値の下限値とは、放電空間Ｓ内にプライミング粒子が存在する場合に、正しく選択消去放電を生起させることが可能な走査パルスＳＰのパルス電圧値の下限を示す値である。すなわち、選択消去放電を正しく生起させる為には、走査パルスＳＰのパルス電圧値を、上述した如き上限値〜下限値の範囲内にする必要がある。この際、上限値〜下限値の範囲が広いほど、走査パルスＳＰとして取り得るパルス電圧値の電圧マージンが高いことになる。
【００３２】
図１１において、走査パルスＳＰのパルス電圧として取り得る上限値は、白丸印又は白三角印にて示す如く、そのパルス幅に拘わらず約６０ボルトである。一方、その下限値は、黒丸印又は黒三角印にて示す如く、走査パルスＳＰのパルス幅が小なるほど高くなる。ところが、図１１に示す如く、紫外域発光層１７を設けた場合における下限値(黒三角印にて示す)は、紫外域発光層１７無しの場合における下限値(黒丸印にて示す)に比して、より低い値となっている。よって、紫外域発光層１７を設けることにより、走査パルスＳＰのパルス電圧値として取り得る上限値〜下限値の範囲、つまり電圧マージンが大きくなる。例えば、図１１において、走査パルスＳＰのパルス幅が１.５[μsec]である場合、紫外域発光層１７有り時における電圧マージンＭ２は、紫外域発光層１７無し時における電圧マージンＭ１よりも大になるのである。
【００３３】
又、ＰＤＰ２０'は、列方向において互いに隣接している隔壁３５の横壁３５ｂが行方向に延びる隙聞ＳＬによつて互いに離間されているとともに、この横壁３５ｂの幅がそれぞれ縦壁３５ａの幅と略同一になっている。よって、隔壁３５の焼成時における前面ガラス基板２０２及び背面ガラス基板２０１の反りの発生、及び、隔壁３５の破損等による放電セル形状の変形を防止することが出来る。
【００３４】
更に、上記ＰＤＰ２０'は、前面ガラス基板２０２の背面の放電空間Ｓに対向する部分以外が、光吸収層３０、３１及び黒色導電層Ｘb'、Ｙb'によってカバーされている。これにより、前面ガラス基板２０２を透過して入射される外光の反射を防止して、表示画面のコントラストを向上させている。尚、上記実施例においては光吸収層３０及び３１を設けているが、いずれか一方のみを形成するようにしても良い。
【００３５】
又、前面ガラス基板２０２の背面に、赤色の蛍光体層１６(Ｒ)、緑色の蛍光体層１６(Ｇ)、及び青色の蛍光体層１６(Ｂ)各々に対応したカラーフィルタ層(図示せず)を、各放電セルＣ毎に形成するようにしても良い。この際、光吸収層３０及び３１は、各放電空聞Ｓに対向するように島状に形成されたカラーフィルタ層の間隙、又はこの間隙に対応する位置に形成される。
【００３６】
又、上記ＰＤＰ２０'では、紫外域発光層１７を保護層１２の背面側の面と隔壁３５の横壁３５ｂの表示側の面との間にのみ配置しているが、図１２に示す如く、紫外域発光層１７'を隔壁３５の縦壁３５ａの表示側の面上に形成しても良い。又、紫外域発光層１７'を、この縦壁３５ａに対向する保護層１２の背面側の、縦壁３５ａと保護層１２との間の各放電セルＣの放電空間内に臨まされる位置に配置するようにしても良い。かかる構成により、放電セルＣの放電空間に接している紫外域発光層１７'の面積が増加し、その分だけ、発生させるプライミング粒子の量を増加させることができる。
【００３７】
又、ＰＤＰ２０'を図１３〜図１５に示す如き駆動方法で駆動することにより、より一層、前述した如きプライミング効果を高めることが可能となる。
図１３は、ＰＤＰ２０'を駆動する際の１フィールド表示期間内での発光駆動フォーマットを示す図である。又、図１４は、かかる発光駆動フォーマットに従ってＰＤＰ２０'の列電極Ｄ1〜Ｄm、行電極Ｘ1〜Ｘn及びＹ1〜Ｙnに印加する各種駆動パルスの印加タイミングを示す図である。
【００３８】
図１３及び図１４に示される駆動では、１フィールドの表示期間を１４個のサブフィールドＳＦ１〜ＳＦ１４に分割してＰＤＰ２０'に対する駆動を行う。各サブフィールド内では、図４に示す駆動と同様に、各放電セルを画素データに応じて選択的に消去放電せしめることにより放電セル内に残留する壁電荷を消去して、この放電セルを非発光セル状態に推移せしめる画素データ書込行程Ｗcを実行する。更に、各サブフィールド内において、発光セル状態にある放電セルのみを繰り返し維持放電せしめる発光維持行程Ｉcを実施する。尚、サブフィールドＳＦ１〜ＳＦ１４各々内の各維持発光行程Ｉｃにおいて生起される維持放電に伴う発光の回数(期間)は、図１３中に記述されているように、
ＳＦ１：１
ＳＦ２：３
ＳＦ３：５
ＳＦ４：８
ＳＦ５：１０
ＳＦ６：１３
ＳＦ７：１６
ＳＦ８：１９
ＳＦ９：２２
ＳＦ10：２５
ＳＦ11：２８
ＳＦ12：３２
ＳＦ13：３５
ＳＦ14：３９
である。
【００３９】
更に、図１３及び図１４に示される駆動では、先頭のサブフィールドＳＦ１だけで、全放電セル内に壁電荷を形成せしめて全ての放電セルを発光セル状態に初期化する一斉リセット行程Ｒcを実行する。ここで、図１３及び図１４に示す駆動では、図１５の黒丸にて示す如く、サブフィールドＳＦ１〜ＳＦ１４各々の内のいずれか１のサブフィールドの画素データ書込行程Ｗcにおいてのみで、放電セルを非発光セル状態に推移せしめる選択消去放電を実施するようにしている。この際、一度、非発光セル状態に設定された放電セルは、それ以降のサブフィールド内において発光セル状態に推移することはない。すなわち、図１３及び図１４に示す駆動によれば、図１５の白丸印にて示されるように、必ず、先頭のサブフィールドＳＦ１から連続したｎ個(ｎは、０〜Ｎ)のサブフィールド各々内の発光維持行程Ｉcにて、連続して放電発光が為されるのである。従って、ＳＦ１〜ＳＦ１４なる１４個のサブフィールドにて駆動を行うと、１フィールド表示期間内での発光駆動パターンは、図１５に示す如き１５通りとなる。この際、各発光駆動パターンに基づく発光輝度比は、
｛0、1、4、9、17、27、40、56、75、97、122、150、182、217、255｝
となり、１５階調分の中間輝度表示が為されるのである。
【００４０】
つまり、図１３及び図１４に示す駆動では、Ｎ個のサブフィールドによって(Ｎ＋１)階調分の表示を実現するのである。
かかる駆動によれば、図１５に示す如く、選択消去放電の為される直前には、必ず、発光維持行程Ｉcでの維持放電、又は一斉リセット行程Ｒcでのリセット放電が実施されることになる。よって、図１３〜図１５に示す如き駆動を採用した場合には、紫外域発光層１７によるプライミング効果を、より有効に利用できるようになる。
【００４１】
【発明の効果】
本発明によるプラズマディスプレイパネルにおいては、バス電極対と、バス電極対の一方における各放電セルに対応した位置から他方に向けて伸長する透明電極とからなる行電極対を含む放電セルの放電空間内に、キセノンガスを１０％以上含有する混合希ガスを放電ガスとして封入することにより、放電セルの発光効率を高めて高輝度な画像表示を可能にする。
【図面の簡単な説明】
【図１】プラズマディスプレイ装置の概略構成を示す図である。
【図２】本発明によるプラズマディスプレイパネルを搭載したプラズマディスプレイ装置の概略構成を示す図である。
【図３】ＰＤＰ２０における断面構造の一部を示す図である。
【図４】ＰＤＰ２０の列電極及び行電極に印加する各種駆動パルスの印加タイミングを示す図である。
【図５】ＰＤＰ２０'を模式的に表す平面図である。
【図６】図５のＰＤＰ２０'におけるＶ１−Ｖ１線での断面を示す図である。
【図７】図５のＰＤＰ２０'におけるＶ２−Ｖ２線での断面を示す図である。
【図８】図５のＰＤＰ２０'におけるＷ１−Ｗ１線での断面を示す図である。
【図９】図５のＰＤＰ２０'におけるＷ２−Ｗ２線での断面を示す図である。
【図１０】図５のＰＤＰ２０'におけるＷ３−Ｗ３線での断面を示す図である。
【図１１】走査パルスＳＰのパルス電圧値の上限値及び下限値と、走査パルスＳＰのパルス幅との対応関係を示す図である。
【図１２】ＰＤＰ２０'の他の構成を示す図である。
【図１３】ＰＤＰ２０'を駆動する際に採用される発光駆動フォーマットの一例を示す図である。
【図１４】図１３に示す発光駆動フォーマットに基づいてＰＤＰ２０'に印加される各種駆動パルスを示す図である。
【図１５】図１３及び図１４に示す駆動による発光駆動パターンを示す図である。
【主要部分の符号の説明】
２  駆動制御回路
６  アドレスドライバ
７  第１サスティンドライバ
８  第２サスティンドライバ
１７  紫外域発光層
２０、２０’  ＰＤＰ
【図１】
0004614609.tif 000002
【図２】
0004614609.tif 000003
【図３】
0004614609.tif 000004
【図４】
0004614609.tif 000005
【図５】
0004614609.tif 000006
【図６】
0004614609.tif 000007
【図７】
0004614609.tif 000008
【図８】
0004614609.tif 000009
【図９】
0004614609.tif 000010
【図１０】
0004614609.tif 000011
【図１１】
0004614609.tif 000012
【図１２】
0004614609.tif 000013
【図１３】
0004614609.tif 000014
【図１４】
0004614609.tif 000015
【図１５】
0004614609.tif 000016